(57)【要約】【課題】遠方からの視認性も良好に確保することができ、周囲の一般顧客に良好に興味を持たせることができ、パッケージ商品を良好に宣伝することができる商品宣伝システムを提供する。【解決手段】タバコパックＳＴＰの外観を少なくとも相似形に模式した外形の商品模式基体１１０が、基体懸架部材１２０により下方に懸架される。この懸架された商品模式基体１１０を、基体回転機構が回転駆動するとともに、基体上下機構が上下移動させる。商品模式基体１１０を天井面などから懸架するので視認性も良好に確保することができる。その商品模式基体１１０が回転するだけでなく上下するので、周囲の一般顧客に良好に興味を持たせることができる。【選択図】図１
2010156749.tif 000002
【特許請求の範囲】
【請求項１】
店頭販売される所定のパッケージ商品を宣伝するための商品宣伝システムであって、
前記パッケージ商品の外観を少なくとも相似形に模式した外形の商品模式基体と、
前記商品模式基体を下方に懸架する基体懸架部材と、
懸架された前記商品模式基体を回転駆動する基体回転機構と、
懸架された前記商品模式基体を上下移動させる基体上下機構と、
を有する商品宣伝システム。
【請求項２】
前記商品模式基体が中空に形成されており、
前記基体懸架部材が前記商品模式基体の上面に形成されている貫通孔に挿通されており、
前記商品模式基体の内部に前記基体回転機構と前記基体上下機構とが配置されており、
前記基体回転機構と前記基体上下機構とが前記商品模式基体の内部で前記基体懸架部材に連結されている請求項１に記載の商品宣伝システム。
【請求項３】
前記基体回転機構と前記基体上下機構とが電動に形成されており、
前記商品模式基体の上面に設置されている光電池パネルを、さらに有し、
前記光電池パネルから前記基体回転機構と前記基体上下機構とに電力が供給される請求項１または２に記載の商品宣伝システム。
【請求項４】
前記商品模式基体が中空の透光性に形成されており、
前記商品模式基体の内部に光源が配置されている請求項１ないし３の何れか一項に記載の商品宣伝システム。
【請求項５】
前記光源が点滅される請求項４に記載の商品宣伝システム。
【請求項６】
前記基体回転機構と前記基体上下機構とが前記商品模式基体の外部で前記基体懸架部材に連結されている請求項１に記載の商品宣伝システム。
【請求項７】
前記商品模式基体は前記パッケージ商品を保持する商品保持ケースを有する請求項６に記載の商品宣伝システム。
【請求項８】
前記商品模式基体は複数の前記パッケージ商品を保持する商品保持ケースを有する請求項７に記載の商品宣伝システム。
【請求項９】
前記基体回転機構と前記基体上下機構とが駆動源を共用している請求項１ないし８の何れか一項に記載の商品宣伝システム。
【請求項１０】
前記パッケージ商品がボックス状のタバコパックからなる請求項１ないし９の何れか一項に記載の商品宣伝システム。
【発明の詳細な説明】
【技術分野】
【０００１】
本発明は、店頭販売される所定のパッケージ商品を宣伝するための商品宣伝システムに関する。
【背景技術】
【０００２】
現在、サプライチェーン店舗であるコンビニエンスストアなどでは、各種のパッケージ商品が店頭販売されている。このようなパッケージ商品の一つとしてタバコパックがある。
【０００３】
また、コンビニエンスストアなどでは、各種のパッケージ商品が商品宣伝システムにより宣伝されている。このような商品宣伝システムは、いわゆるポップと呼称される小型の看板などが一般的である。
【０００４】
このポップは、例えば、そのパッケージ商品が収容されている商品収容ラックに装着される。しかし、より良好な宣伝効果を実現する商品宣伝システムとして、現在、各種の提案がある。例えば、商品の包装容器を媒体とした商品宣伝システムの提案がある。
【０００５】
その商品宣伝システムは、商品の包装容器を媒体とした宣伝方法であり、該商品の内容物及び販売者等とは無関係な内容の宣伝情報が、該包装容器の少なくとも内面の一部に記載される。
【０００６】
これにより、商品の購入者に商品の内容物及び販売者等とは無関係な内容の宣伝情報を提供することができ、宣伝情報の提供者に新たな情報提供手段を提供することができる。
【０００７】
また、リサイクルの推進に寄与できるとともに、再利用可能な包装容器の新たな活用方法を付加でき、環境保全に考慮した宣伝方法を提供することができる（例えば、特許文献１参照）。
【０００８】
さらに、購入者及び周囲の人に与える印象が強く、任意の商品見本に注目を確実に引くことができ、商品の販売促進を図ることができる商品見本を商品宣伝システムとした提案もある。 
その商品宣伝システムでは、商品見本に取付けられた表示体を揺動、移動、出没、回転、発光して、商品見本及び表示体の存在を購入者及び周囲の人に報知する。従来例のような静止した宣伝物で平面的に報知するよりも、購入者及び周囲の人に与える印象が強く、任意の商品見本に注目を引くことができる。
【０００９】
且つ、商品見本による宣伝効果が長期間安定して得られ、積極的且つ効果的な宣伝が行えると共に、その商品見本に対応した商品の販売促進を図ることができる（例えば、特許文献２参照）。
【特許文献１】特開２００４−７５１６８号公報
【特許文献２】特開２０００−９０３３９号公報
【発明の開示】
【発明が解決しようとする課題】
【００１０】
上述のように、現在では商品収容ラックに装着するポップなどが、商品宣伝システムとして一般的である。しかし、前述のようにポップは小型の看板でしかなく、その宣伝効果は良好とは言い難い。
【００１１】
そこで、各種の商品宣伝システムが提案されており、上述のように可動するものもある。しかし、より簡単な構造で効果的にパッケージ商品を宣伝する商品宣伝システムが要望されている。
【００１２】
多々ある商品宣伝システムとしては、例えば、パッケージ商品の看板を回転軸で軸支して駆動源で回転駆動するものなどがある。この場合、例えば、レジ店員スペースのレジ台の上で看板が回転するので、静止している看板よりも宣伝効果はある。
【００１３】
しかし、回転する看板は珍しくなく、人間は、よくある動きへの興味は良好ではない。また、上述のようにレジ台上に載置する商品宣伝システムでは、遠方からの視認性が良好ではない。
【００１４】
本発明は上述のような課題に鑑みてなされたものであり、遠方からの視認性も良好に確保することができ、周囲の一般顧客に良好に興味を持たせることができ、パッケージ商品を良好に宣伝することができる商品宣伝システムを提供するものである。
【課題を解決するための手段】
【００１５】
本発明の商品宣伝システムは、店頭販売される所定のパッケージ商品を宣伝するための商品宣伝システムであって、パッケージ商品の外観を少なくとも相似形に模式した外形の商品模式基体と、商品模式基体を下方に懸架する基体懸架部材と、懸架された商品模式基体を回転駆動する基体回転機構と、懸架された商品模式基体を上下移動させる基体上下機構と、を有する。
【００１６】
従って、本発明の商品宣伝システムでは、パッケージ商品の外観を少なくとも相似形に模式した外形の商品模式基体が、基体懸架部材により下方に懸架される。このように懸架された商品模式基体を、基体回転機構が回転駆動するとともに、基体上下機構が上下移動させる。商品模式基体を天井面などから下方に懸架することができるので、遠方からの商品模式基体の視認性も良好に確保される。その商品模式基体が回転するだけでなく上下するので、商品模式基体が珍しい動きをすることになる。
【００１７】
また、上述のような商品宣伝システムにおいて、商品模式基体が中空に形成されており、基体懸架部材が商品模式基体の上面に形成されている貫通孔に挿通されており、商品模式基体の内部に基体回転機構と基体上下機構とが配置されており、基体回転機構と基体上下機構とが商品模式基体の内部で基体懸架部材に連結されていてもよい。
【００１８】
また、上述のような商品宣伝システムにおいて、基体回転機構と基体上下機構とが電動に形成されており、商品模式基体の上面に設置されている光電池パネルを、さらに有し、光電池パネルから基体回転機構と基体上下機構とに電力が供給されてもよい。
【００１９】
また、上述のような商品宣伝システムにおいて、商品模式基体が中空の透光性に形成されており、商品模式基体の内部に光源が配置されていてもよい。
【００２０】
また、上述のような商品宣伝システムにおいて、光源が点滅されてもよい。
【００２１】
また、上述のような商品宣伝システムにおいて、基体回転機構と基体上下機構とが商品模式基体の外部で基体懸架部材に連結されていてもよい。
【００２２】
また、上述のような商品宣伝システムにおいて、商品模式基体はパッケージ商品を保持する商品保持ケースを有してもよい。
【００２３】
また、上述のような商品宣伝システムにおいて、商品模式基体は複数のパッケージ商品を保持する商品保持ケースを有してもよい。
【００２４】
また、上述のような商品宣伝システムにおいて、基体回転機構と基体上下機構とが駆動源を共用していてもよい。
【００２５】
また、上述のような商品宣伝システムにおいて、パッケージ商品がボックス状のタバコパックからなってもよい。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００２７】
本発明の商品宣伝システムでは、パッケージ商品の外観を少なくとも相似形に模式した外形の商品模式基体が、基体懸架部材により下方に懸架される。このように懸架された商品模式基体を、基体回転機構が回転駆動するとともに、基体上下機構が上下移動させる。商品模式基体を天井面などから下方に懸架することができるので、遠方からの商品模式基体の視認性も良好に確保することができる。その商品模式基体が回転するだけでなく上下するので、商品模式基体が珍しい動きをすることになり、周囲の一般顧客に良好に興味を持たせることができる。しかも、このように良好な視認性で珍しく動く商品模式基体の外形はパッケージ商品の外観を模式しているので、パッケージ商品を良好に宣伝することができる。
【発明を実施するための最良の形態】
【００２８】
本発明の実施の一形態を図１ないし図４を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００２９】
本実施の形態の商品宣伝システム１００は、図４に示すように、詳細には後述するが、店頭販売される所定のパッケージ商品であるタバコパックＳＴＰを宣伝するために利用される。
【００３０】
このため、本実施の形態の商品宣伝システム１００は、図１に示すように、タバコパックＳＴＰの外観を少なくとも相似形に模式した外形の商品模式基体１１０と、商品模式基体１１０を下方に懸架する基体懸架部材１２０と、図２に示すように、懸架された商品模式基体１１０を回転駆動する基体回転機構１３０と、懸架された商品模式基体１１０を上下移動させる基体上下機構１４０と、を有する。
【００３１】
より具体的には、商品模式基体１１０は、例えば、半透明の樹脂によりタバコパックＳＴＰを数倍の相似形に模式した中空のボックス状に形成されており、その外面にはタバコパックＳＴＰを模式した図柄が印刷されている。
【００３２】
商品模式基体１１０の上面中央には貫通孔１１１が形成されており、図２および図３に示すように、この貫通孔１１１に基体懸架部材１２０の矩形断面ワイヤ１２１が挿通されている。
【００３３】
商品模式基体１１０の内部には、電動の基体回転機構１３０と基体上下機構１４０とが配置されており、基体回転機構１３０と基体上下機構１４０とが商品模式基体１１０の内部で基体懸架部材１２０に連結されている。
【００３４】
基体回転機構１３０と基体上下機構１４０とは、駆動源であるサーボモータ１３１を共用している。より具体的には、図２に示すように、サーボモータ１３１の駆動軸１３２には、四本のスポーク部１４１で支持された大径のクラウンギヤ１３３が回転自在に連結されている。
【００３５】
このクラウンギヤ１３３には、商品模式基体１１０の内部上方で回転自在に軸支されているピニオンギヤ１３４が歯合している。図３に示すように、このピニオンギヤ１３４には、矩形の貫通孔１３５が形成されており、このピニオンギヤ１３４の矩形の貫通孔１３５に、基体懸架部材１２０の矩形断面ワイヤ１２１が、スライド自在かつ回転不能に挿通されている。
【００３６】
このピニオンギヤ１３４を挿通された矩形断面ワイヤ１２１の下端は、クラウンギヤ１３３を支持している四本のスポーク部１４１の外端近傍に連結されている。なお、このスポーク部１４１をリンク機構とした連結による矩形断面ワイヤ１２１の捻れを解消するため、矩形断面ワイヤ１２１の下部にはヨリモドシ機構１２２が形成されている。
【００３７】
また、図１および図２に示すように、商品模式基体１１０の上面には光電池パネル１５０が設置されている。この光電池パネル１５０は、商品模式基体１１０の内部底面に設置されている電源回路１５１を経由して基体回転機構１３０と基体上下機構１４０とのサーボモータ１３１に配線されている(図示せず)。
【００３８】
また、本実施の形態の商品宣伝システム１００では、前述のように商品模式基体１１０が中空の透光性に形成されているので、図２に示すように、商品模式基体１１０の内部にＬＥＤ(Light Emitting Diode)光源１６０も配置されている。このＬＥＤ光源１６０も電源回路１５１に配線されており、この電源回路１５１はＬＥＤ光源１６０を点滅させる。
【００３９】
なお、基体懸架部材１２０は、図１に示すように、天井面に装着される懸架ベース部材１２３が、矩形断面ワイヤ１２１の上端に装着されている。この懸架ベース部材１２３は、例えば、矩形断面ワイヤ１２１の巻取機構(図示せず)を内蔵している。
【００４０】
上述のような構成において、本実施の形態の商品宣伝システム１００は、例えば、図４に示すように、タバコパックＳＴＰなどを店頭販売するサプライチェーン店舗であるコンビニエンスストアＣＶＳのレジ店員スペースＳＲＳの天井面(図示せず)などに設置される。
【００４１】
その場合、基体懸架部材１２０の懸架ベース部材１２３が天井面に装着され、その矩形断面ワイヤ１２１で商品模式基体１１０が懸架される。すると、この商品模式基体１１０の上面に位置する光電池パネル１５０に、天井面に設置されている店舗照明(図示せず)から光線が入射することになる。
【００４２】
そこで、光電池パネル１５０が発電した電力が電源回路１５１に供給され、この電源回路１５１によりＬＥＤ光源１６０が点滅されるとともにサーボモータ１３１が駆動される。
【００４３】
このサーボモータ１３１はスポーク部１４１で支持されているクラウンギヤ１３３を回転駆動してピニオンギヤ１３４も回転駆動する。ただし、前述のように基体懸架部材１２０の矩形断面ワイヤ１２１は、ピニオンギヤ１３４の矩形の貫通孔１３５にスライド自在かつ回転不能に挿通されている。このため、相対的にピニオンギヤ１３４の周囲をクラウンギヤ１３３が水平方向に回転することになり、これで商品模式基体１１０が水平回転する。
【００４４】
同時に、矩形断面ワイヤ１２１の下端が連結されているスポーク部１４１はリンク機構として機能することになる。このため、ピニオンギヤ１３４に挿通されている矩形断面ワイヤ１２１が上下方向にスライド移動する。従って、相対的に商品模式基体１１０が上下方向に往復移動する。
【００４５】
そして、表面にタバコパックＳＴＰの図柄が印刷されている商品模式基体１１０が透光性なので、ＬＥＤ光源１６０の点滅により、商品模式基体１１０の全体も点滅することになる。
【００４６】
つまり、本実施の形態の商品宣伝システム１００では、タバコパックＳＴＰを相似形に模式した商品模式基体１１０が天井面から懸架された状態で、点滅しながら、水平回転するとともに上下移動する。
【００４７】
本実施の形態の商品宣伝システム１００は、上述のように商品模式基体１１０を天井面などから下方に懸架することができるので、遠方からの商品模式基体１１０の視認性も良好に確保することができる。
【００４８】
しかも、その商品模式基体１１０が回転するだけでなく上下するので、商品模式基体１１０が珍しい動きをすることになり、周囲の一般顧客に良好に興味を持たせることができる。特に、その商品模式基体１１０が透光性で点滅するので、さらに一般顧客の興味を引くことができ、その視認性も向上させることができる。
【００４９】
そして、このように良好な視認性で珍しく動く商品模式基体１１０の外形がタバコパックＳＴＰの外観を模式しているので、タバコパックＳＴＰを良好に宣伝することができる。
【００５０】
特に、上述のように商品模式基体１１０を駆動したり発光させる基体回転機構１３０と基体上下機構１４０とＬＥＤ光源１６０とが、その商品模式基体１１０の内部に配置されており、その電力は商品模式基体１１０の上面の光電池パネル１５０から供給される。
【００５１】
このため、本実施の形態の商品宣伝システム１００は、電源配線などを必要とすることなく、天井面に設置するだけで動作することができる。特に、一般顧客にタバコパックＳＴＰを宣伝する前後左右の表面には自由に図柄を表記することができ、一般顧客に視認されない上面に光電池パネル１５０を設置することができる。
【００５２】
このため、宣伝効果を阻害することなく、光電池パネル１５０を最良の位置に配置することができる。特に、商品模式基体１１０が基体懸架部材１２０で天井面から懸架されるので、天井照明により近距離から光電池パネル１５０を良好な効率で作動させることができる。
【００５３】
しかも、本実施の形態の商品宣伝システム１００では、商品模式基体１１０の水平回転と上下移動を一個のサーボモータ１３１で実現している。このため、その部品数を削減して生産性を向上させることができ、省電力化も実現することができる。特に、本実施の形態の商品宣伝システム１００では、光源がＬＥＤからなるので、これも省電力化に寄与することができる。
【００５４】
なお、本発明は本実施の形態に限定されるものではなく、その要旨を逸脱しない範囲で各種の変形を許容する。例えば、上記形態では商品模式基体１１０の上面に光電池パネル１５０が設置されており、電源配線などを必要とすることなく商品宣伝システム１００が機能することを例示した。しかし、上述のような商品宣伝システムが内蔵電池や外部電源で機能してもよい(図示せず)。
【００５５】
また、上記形態では宣伝効果を向上させるため、商品模式基体１１０にＬＥＤ光源１６０が内蔵されていることを例示したが、これを省略してもよく、商品模式基体１１０の表面に反射板(図示せず)などが設置されていてもよい。
【００５６】
さらに、商品模式基体１１０に、例えば、コマーシャルを音声出力する音声出力機構(図示せず)が内蔵されていてもよい。また、商品模式基体１１０などに人感センサ(図示せず)を装着し、一般顧客が検知されたときのみ商品宣伝システム１００が作動してもよい。
【００５７】
また、上記形態ではスポーク部１４１で支持されたクラウンギヤ１３３とピニオンギヤ１３４と矩形断面ワイヤ１２１とを利用することにより、商品模式基体１１０を回転駆動する基体回転機構１３０と上下移動させる基体上下機構１４０とを一体に形成することを例示した。
【００５８】
しかし、このように商品模式基体１１０を回転駆動する基体回転機構と上下移動させる基体上下機構とを他の構造で実現することもできる。例えば、図５に例示する商品宣伝システム２００では、基体懸架部材２１０が、基体上下機構となるスプリングワイヤ２１１で商品模式基体１１０を懸架する。
【００５９】
この商品模式基体１１０の上端には、基体回転機構となるワンウェイクラッチ２２０が装着されている。このワンウェイクラッチ２２０は、上下一対のクラッチ板２２１，２２２からなり、上方のクラッチ板２２１が商品模式基体１１０に固定されている。
【００６０】
スプリングワイヤ２１１の下端は、上方のクラッチ板２２１の貫通孔(図示せず)に挿通されており、下方のクラッチ板２２２に連結されている。商品模式基体１１０の内部底面には、ウエイト部材２２３を上下振動させるソレノイド機構２２４が設置されている。
【００６１】
上述のような構造の商品宣伝システム２００では、ソレノイド機構２２４がウエイト部材２２３を上下振動させる。すると、スプリングワイヤ２１１で懸架されている商品模式基体１１０は上下振動することになる。
【００６２】
このとき、スプリングワイヤ２１１と商品模式基体１１０はワンウェイクラッチ２２０で連結されているので、商品模式基体１１０は上下振動するとともに水平回転することになる。
【００６３】
また、上記形態では宣伝効果を向上させるため、タバコパックＳＴＰを数倍に相似拡大した商品模式基体１１０を利用することを例示した。しかし、これでは頻繁に変化する新製品に対応することは困難である。
【００６４】
そこで、これが問題となる場合には、図６に例示する商品宣伝システム３００のように、実際のタバコパックＳＴＰを保持する商品保持ケース３１１を利用すればよい。この商品保持ケース３１１は、例えば、無色透明な樹脂の枠体からなる。
【００６５】
そこで、この商品保持ケース３１１に所望のタバコパックＳＴＰを装着することで、そのタバコパックＳＴＰの商品模式基体３１０が実現される。この商品模式基体３１０の商品保持ケース３１１は、基体懸架機構３２０の矩形断面ワイヤ１２１で懸架されている。
【００６６】
この矩形断面ワイヤ１２１の上端は、例えば、懸架ベース部材３３０の内部に挿通されており、そこで基体回転機構１３０および基体上下機構１４０に連結されている。なお、この商品宣伝システム３００では、懸架ベース部材３３０に電源配線３３１が形成されている。
【００６７】
このような商品宣伝システム３００では、懸架ベース部材３３０に内蔵されている基体回転機構１３０および基体上下機構１４０により、商品模式基体３１０が水平回転されるとともに上下移動される。その商品模式基体３１０は、タバコパックＳＴＰを交換自在なので、例えば、新製品の宣伝などに、簡単かつ迅速に柔軟に対応することができる。
【００６８】
さらに、上述の商品宣伝システム３００では、商品保持ケース３１１がタバコパックＳＴＰを一個だけ保持することを例示した。しかし、図７に例示する商品宣伝システム３４０のように、商品保持ケース３４１が四個などの複数のタバコパックＳＴＰを矩形などの所定形状に保持してもよい。
【００６９】
この場合、四個のタバコパックＳＴＰの全部が同一銘柄でもよく、四個の全部が相違する銘柄でもよい。また、二つの銘柄のタバコパックＳＴＰが千鳥格子のように配列されてもよい。
【００７０】
さらに、図８に例示する商品宣伝システム３５０のように、商品保持ケース３５１が四個のタバコパックＳＴＰを螺旋状に保持してもよい。この場合、商品保持ケース３５１の中央に矩形スペース３５２が発生するので、例えば、ここに発光機構や発音機構などを内蔵してもよい(図示せず)。
【００７１】
まず、上述のような商品保持ケース３５１は回転対称となるので、図９に例示する商品宣伝システム３６０のように、商品保持ケース３５１を上面ではなく角部で４５度に懸架してもよい。
【００７２】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００７３】
【図１】本発明の実施の形態の商品宣伝システムの外観を示す模式的な斜視図である。
【図２】商品模式基体の内部構造を示す模式的な縦断正面図である。
【図３】基体回転機構および基体上下機構の要部を示す斜視図である。
【図４】サプライチェーン店舗であるコンビニエンスストアのレジ店員スペースに複数の商品宣伝システムが設置された状態を示す模式的な斜視図である。
【図５】一の変形例の商品宣伝システムの商品模式基体の内部構造を示す模式的な縦断正面図である。
【図６】他の変形例の商品宣伝システムの外観を示す分解斜視図である。
【図７】さらに他の変形例の商品宣伝システムの外観を示す正面図である。
【図８】さらに他の変形例の商品宣伝システムの外観を示す正面図である。
【図９】さらに他の変形例の商品宣伝システムの外観を示す正面図である。
【符号の説明】
【００７４】
１００    商品宣伝システム
１１０    商品模式基体
１１１    貫通孔
１２０    基体懸架部材
１２１    矩形断面ワイヤ
１２２    ヨリモドシ機構
１２３    懸架ベース部材
１３０    基体回転機構
１３１    サーボモータ
１３２    駆動軸
１３３    クラウンギヤ
１３４    ピニオンギヤ
１３５    貫通孔
１４０    基体上下機構
１４１    スポーク部
１５０    光電池パネル
１５１    電源回路
１６０    ＬＥＤ光源
２００    商品宣伝システム
２１０    基体懸架部材
２１１    スプリングワイヤ
２２０    ワンウェイクラッチ
２２１    クラッチ板
２２２    クラッチ板
２２３    ウエイト部材
２２４    ソレノイド機構
３００    商品宣伝システム
３１０    商品模式基体
３１１    商品保持ケース
３２０    基体懸架機構
３３０    懸架ベース部材
３３１    電源配線
３４０    商品宣伝システム
３４１    商品保持ケース
３５０    商品宣伝システム
３５１    商品保持ケース
３５２    矩形スペース
３６０    商品宣伝システム
ＣＶＳ    コンビニエンスストア
ＳＲＳ    レジ店員スペース
ＳＴＰ    タバコパック
【図１】
2010156749.tif 000003
【図２】
2010156749.tif 000004
【図３】
2010156749.tif 000005
【図４】
2010156749.tif 000006
【図５】
2010156749.tif 000007
【図６】
2010156749.tif 000008
【図７】
2010156749.tif 000009
【図８】
2010156749.tif 000010
【図９】
2010156749.tif 000011